【事件の表示】
　特願２００３−　３９６５５「遊技機情報表示装置」拒絶査定不服審判事件〔平成１６年　９月　９日出願公開、特開２００４−２４８７２７〕について、次のとおり審決する。
【結　論】
　本件審判の請求は、成り立たない。
【理　由】
第１．手続の経緯
　本願は、平成１５年２月１８日の出願であって、平成１５年６月９日付の拒絶理由通知に対して平成１５年７月２８日付で手続補正書が提出され、さらに平成１６年１月１６日付最後の拒絶理由に対して平成１６年２月２４日に手続補正書が提出され、平成１６年１０月７日付で前記平成１６年２月２４日付手続補正が却下されるとともに拒絶査定がなされ、これに対して平成１６年１１月１２日付で拒絶査定不服の審判請求がなされるとともに、同日付で手続補正書が提出されたものである。
　　　
第２．平成１６年１１月１２日付の手続補正についての決定
　決定：平成１６年１１月１２日付の手続補正を却下する。 
　理由 
１．本願補正発明
　平成１６年１１月１２日付の手続補正書により補正された、本願の特許請求の範囲の請求項１に記載された発明（以下、「本願補正発明」という。）は、以下のとおりのものである。
　「通常状態よりも特賞確率が高く設定された確変状態と、前記確変状態よりも特賞確率が低く、前記通常状態よりも単位時間あたりの始動口への入賞数が大きくなる時短状態とのいずれの状態となった場合においても同一の特別遊技状態端子より特別遊技状態信号を出力する遊技機の遊技データを表示する遊技者向けの台別遊技機情報表示装置であって、
　特賞終了時を起点にして、前記特別遊技状態信号が出力されている期間が遊技状態の判定期間として設定され、
　前記判定期間中または前記判定期間の終了とともに、前記遊技機に特賞が発生した場合に、その判定期間中の遊技状態を前記確変状態と判定し、上記以外の場合に、前記判定期間中の遊技状態を前記時短状態と判定する遊技状態判定手段を備え、
　この遊技状態判定手段の判定結果に基づき、遊技状態が前記通常状態から特賞を契機に前記確変状態へと移行し、再度、前記通常状態に戻るまでの期間に発生した特賞の回数を、前記契機となった特賞の終了時には計数せず、該特賞終了後の判定期間中または判定期間の終了とともに特賞が発生したときに、前記契機となった特賞も含めて計数して表示することを特徴とする遊技者向けの台別遊技機情報表示装置。」
　　　　　
２．引用刊行物に記載の発明
　i．原査定の拒絶の理由に引用された刊行物である特開平１１−９８０８号公報（以下、「引用例」という。）には、以下の事項が記載されている。
　「【請求項１】　時短機能および確率変動機能を持つパチンコ遊技台の複数個と、パチンコ遊技台からの台データを取り込むホール・コンピュータとを具備するパチンコ遊技システムであって、台データは、確率変動信号の値と，大当たり信号の値と，入玉数を示す入玉数データと，出玉数を示す出玉数データと，チャッカへの入賞回数を示すチャッカ入賞回数データとを含み、ホール・コンピュータは、パチンコ遊技台に１対１に対応する台データ処理手段の複数個と、台データ処理手段に１対１に対応する台データ領域の複数個を具備し、台データ領域は、確率変動中データ記憶域と，時短中データ記憶域と，時短判定中データ記憶域とを含み、台データ処理手段は、対応するパチンコ遊技台からの台データの確率変動信号がオンで且つ大当たり信号がオフである場合には、受け取った台データに基づいて自己の時短判定中データ記憶域の内容を更新し、次いで対応するパチンコ遊技台から次の台データが送られて来るのを待つ台データ待ち状態になり、台データ待ち状態の下で対応するパチンコ遊技台から次の台データが送られて来た時には台データ待ち状態を解除し、当該台データの確率変動信号の値と大当たり信号の値に変化がないか，確率変動信号がオフか，大当たり信号がオンかを調べ、変化なしの場合は、受け取った台データに基づいて自己の時短判定中データ記憶域の内容を更新し、再び台データ待ち状態になり、確率変動信号がオフの場合は、自己の時短判定中データ記憶域の内容に基づいて自己の時短中データ記憶域の内容を更新し、大当たり信号がオンの場合は、自己の時短判定中データ記憶域の内容に基づいて自己の確率変動中データ記憶域の内容を更新することを特徴とするパチンコ遊技システム。
　【請求項２】　台データ処理手段は、対応するパチンコ遊技台からの台データの確率変動信号がオンで且つ大当たり信号がオンの場合は、受け取った台データに基づいて自己の確率変動中データ記憶域の内容を更新することを特徴とする請求項１のパチンコ遊技システム。」（第２頁第１欄第２〜４１行）、
　「【０００３】　図１０（ａ）は確変台からの信号を示す図である。同図において、Ｂは確変中の区間を示し、ＡとＣは確変外の区間を示す。確変中の区間（確変信号がオンの区間）においては確率は例えば１／２０であり、確変外の区間においては確率は例えば１／２００である。また、確変中の信号がオンの区間においては、チャッカのチューリップが開いている。
【０００４】　チャッカにパチンコ玉が入り、３個の数字ドラムが回転し、停止した時に此れらのドラムが例えば７７７を示すと、確変信号がオンし、大当たり信号もオンする。大当たりに相当するパチンコ玉が出ると、大当たり信号はオフする。確変信号がオンしてから例えば３回の大当たり（確変信号オンの原因となった最初の大当たりを含む）が発生すると、３回目の大当たり信号の立下がりに同期して、確変信号も立ち下がる。
【０００５】　図１０（ｂ）は時短機能付き確変台からの信号を示す図である。同図においても、Ｂは確変中の区間（確率の高い区間）を示し、ＡとＣは確変外の区間を示す。チャッカにパチンコ玉が入り、３個の数字ドラムが回転し、停止した時に此れらのドラムが例えば７７７を示すと、確変信号がオンし、大当たり信号もオンする。大当たりに相当するパチンコ玉が出ると、大当たり信号はオフする。時短機能付き確変台においては、３回目の大当たり信号が立ち下がっても、確変信号は立ち下がらず、一定時間後またはチャッカ入賞が所定回数発生した後に、確変信号がオフになる。３回目の大当たり信号の立下がり時点から確変信号の立下がり時点までの間が時短中の区間になる。図１０(b)においては、１回目の大当たり信号の立上がり時点から３回目の大当たり信号の立下がり時点までが確変中の区間Ｂとされている。チューリップは確変信号の立上がりで開き、立下がりで閉じる。」（第２頁第２欄第１１〜４２行）、
　「【０００６】【発明が解決しようとする課題】　従来のパチンコ店のホール・コンピュータは、釘調整データを表示／印刷する機能を有している。釘調整データは、玉持ちの良さ（Ｇ値），チャッカへの入賞のし易さ（Ｓ／１０）を示す。パチンコ店では、パチンコ遊技台の釘調整を行うときには、Ｇ値およびＳ／１０を参考にしている。なお、Ｓ／１０は、１０分間にチャッカへの入賞が何回あったかを示す。
【０００７】　確変台においては、確率変動中は玉持ち及びチャッカ入賞とも極端に良くなるため、確率変動中のデータは別計数し、確変外のデータを用いてＧ値およびＳ／１０を算出していた。
【０００８】　しかし、時短機能付き確変台においては、確率変動とは別に時短と言う権利が発生する場合があり、時短中においても玉持ち及びチャッカ入賞が極端に良くなる。したがって、確変外の区間のデータに基づいて算出されたＧ値およびＳ／１０は時短機能付き確変台に対する釘調整データとして不適切であり、パチンコ・ホールでの木目細かい釘調整が出来ないと言った問題があった。
【０００９】　本発明の目的は、時短中における台データを記録することが出来るパチンコ遊技システムを提供することにある。本発明の他の目的は、時短機能付き確変台に対する釘調整データを正確に求めることが出来るパチンコ遊技システムを提供することにある。」（第２頁第２欄第４３行〜第３頁第３欄第１８行）、
　「【００１８】　図２に示すように、ホール・コンピュータ１０は、ホール・コンピュータ本体１１や表示部１２，キーボード１３，赤黒プリンタ１４，音声装置１５，台情報データベース１６を有している。ホール・コンピュータ１０は、遊技店において、経営の源泉となるデータの出力を特徴とし、主な機能としては下記の機能が挙げられる。　・各遊技台への補給処理　・各遊技台，ホール内機器の状態監視　・集計データの表示／印刷　・音声出力　・異常の通知」（第３頁第４欄第４４行〜第４頁第５欄第５行）、
　「【００２７】　図５は時短機能付き確変台からの信号を示す図である。時短機能付き確変台からは、確変信号および大当たり信号が出力される。ただし、時短発生中，確変発生中は共に確変信号がオンになり、状態終了時に確変信号がオフになるものが一般的であり、確変信号だけでは時短か，確変かの判断はできない。確変開始から確変終了までの区間Ｂではチャッカにパチンコ玉が入った時に大当たりになる確率は高く、区間Ａ，時短中，区間Ｃでは確率は低い。通常は、時短は確変終了かつ大当たり終了から一定期間に発生することから、図６に示すような処理フローで時短か否かの判断を行う。」（第４頁第６欄第３２〜４２行）、
　「【００３２】　台データ領域について説明する。台データ領域はホール・コンピュータにおいて必要な情報を全て格納する領域であり、各パチンコ遊技台毎のパルス領域と加工データ領域を有している。パルス領域は、出玉数を記録する出玉領域，入玉数を記録する入玉領域，特賞状態と特賞回数を記録する領域，スタート数を記録するスタート数領域，確変状態と確変回数を記録する領域などを有している。パルス領域の内容は、台データを受け取る度に更新される。
【００３３】　加工データ領域は、特賞中の出玉数を記録する特賞中出玉領域，特賞中の入玉数を記録する特賞中入玉領域，確変中の出玉数を記録する確変中出玉領域，確変中の入玉数を記録する確変中入玉領域，時短中の出玉数を記録する時短中出玉領域，時短中の入玉数を記録する時短中入玉領域などを有している。図示しないが、加工データ領域には、特賞中のスタート数を記録する特賞中スタート領域，確変中のスタート数を記録する確変中スタート領域，時短中のスタート数を記録する時短中スタート領域が存在する。
」（第５頁第７欄第１７〜３５行）、
　「【００４０】　図９は印刷制御８２で出力される帳票の例を示す図である。帳票は、パチンコ遊技台毎の入玉数，出玉数，スタート数，Ｇ値およびＳ／１０を示す。Ｇ値およびＳ／１０は、釘調整の際に参考とされる。」（第５頁第８欄第２８〜３１行）。
　　　　
　ii．前記記載及び図面図１乃至図１０によれば、引用例には、以下の発明（以下、「引用発明」という。）が記載されているものと認められる。
　「通常状態よりも特賞（大当たり）確率が高く設定された確変状態と、前記確変状態よりも特賞（大当たり）確率が低く、前記通常状態よりも玉持ち及びチャッカ入賞が極端に良くなる時短状態とのいずれの状態となった場合においても確変信号を出力するパチンコ遊技台を備え、該パチンコ遊技台別の台データとしての、確変信号のオンオフ、特賞（大当たり）信号のオンオフ、出玉数、入玉数、特賞回数、スタート数、確変回数について、これを、確率変動中データ、時短中データ、時短判定中データとに区分して、計数して記憶し、前記区分して計数した各種台データを集計して、パチンコ遊技台毎の入玉数，出玉数，スタート数，Ｇ値およびＳ／１０を表示部１２に表示あるいは赤黒プリンタ１４に印刷して出力する遊技店向けのパチンコ遊技システムであって、
　特賞（大当たり）終了時を起点にして、前記確変信号がオン状態の期間が、時短状態か確変状態かの時短判定中の判定期間として設定され、該判定期間中の台データを時短判定中データとして記憶し、
　前記時短判定中の判定期間中または前記判定期間の終了とともに、前記遊技機に特賞（大当たり）が発生した場合に、その判定期間中の遊技状態を前記確変状態と判定し、上記以外の場合に、前記判定期間中の遊技状態を前記時短状態と判定するホール・コンピュータ１０を備え、
　前記判定結果に基づき、前記ホール・コンピュータ１０は、対応するパチンコ遊技台から台データとしての確変信号がオン状態で特賞（大当たり）信号がオン状態の場合は、受け取った前記各種台データに基づいて確率変動中データの内容を更新し、特賞（大当たり）が発生して前記判定期間中の遊技状態が確変状態と判定された場合は、時短判定中データの内容に基づいて確率変動中データの内容を更新する遊技店向けのパチンコ遊技システム。」
　　　　
３．当審の判断
　本願補正発明が特許出願の際独立して特許を受けることができるものであるかについて以下検討する。
　（１）本願補正発明と引用発明との対比
　本願補正発明と引用発明を対比すると、引用発明における、「パチンコ遊技台」、「確変状態と時短状態とのいずれの状態となった場合においても確変信号を出力する」、「台データ」、「ホール・コンピュータ１０」は、それぞれ、本願補正発明における、「遊技機」、「確変状態と時短状態とのいずれの状態となった場合においても同一の特別遊技状態端子より特別遊技状態信号を出力する」、「遊技データ」、「遊技状態判定手段」に相当する。
　そして、本願補正発明と引用発明は、確変状態と時短状態とのいずれの状態となった場合においても特別遊技状態信号（確変信号）を出力する遊技機を対象に、確変状態における遊技データを正確に把握することを課題とするものであって、引用発明における「確率変動中データ」と、本願補正発明における「特賞の回数」は、いずれも、前記「確変状態における遊技データ」において共通する。
　また、引用発明における「遊技店向けのパチンコ遊技システム」は、遊技店のホール管理者向けに遊技データを表示して出力するシステムとして表示部１２を有するから、本願補正発明における「遊技者向けの台別遊技機情報表示装置」と対比すると、いずれも、「遊技機情報表示装置」において共通する。
　そうすると、本願補正発明と引用発明の両者は、以下の点でそれぞれ、一致ならびに相違するものと認められる。
　一致点．
　「通常状態よりも特賞確率が高く設定された確変状態と、前記確変状態よりも特賞確率が低く、前記通常状態よりも単位時間あたりの始動口への入賞数が大きくなる時短状態とのいずれの状態となった場合においても同一の特別遊技状態端子より特別遊技状態信号を出力する遊技機の遊技データを表示する遊技機情報表示装置であって、
　特賞終了時を起点にして、前記特別遊技状態信号が出力されている期間が遊技状態の判定期間として設定され、
　前記判定期間中または前記判定期間の終了とともに、前記遊技機に特賞が発生した場合に、その判定期間中の遊技状態を前記確変状態と判定し、上記以外の場合に、前記判定期間中の遊技状態を前記時短状態と判定する遊技状態判定手段を備え、
　この遊技状態判定手段の判定結果に基づき、遊技状態が前記通常状態から特賞を契機に前記確変状態へと移行し、再度、前記通常状態に戻るまでの期間に発生した遊技データを、該特賞終了後の判定期間中または判定期間の終了とともに特賞が発生したときに計数して表示する遊技機情報表示装置。」
　相違点Ａ．　確変状態における遊技データについて、本願補正発明では、遊技状態が前記通常状態から特賞を契機に前記確変状態へと移行し、再度、前記通常状態に戻るまでの期間に発生した特賞の回数を、前記契機となった特賞の終了時には計数せず、該特賞終了後の判定期間中または判定期間の終了とともに特賞が発生したときに、前記契機となった特賞も含めて計数するのに対して、引用発明では、遊技状態が前記通常状態から特賞を契機に前記確変状態へと移行し、再度、前記通常状態に戻るまでの期間に発生した遊技データを、該特賞終了後の判定期間中または判定期間の終了とともに特賞が発生したときに計数する点。
　相違点Ｂ．　遊技機情報表示装置が、本願補正発明では、遊技者向けの台別遊技機情報表示装置であるのに対して、引用発明では、遊技店向けの遊技機情報表示装置である点。
　　　　　
　（２）相違点Ａの検討
　i．引用発明は、前記したように、確変状態と時短状態とのいずれの状態となった場合においても特別遊技状態信号（確変信号）を出力する遊技機を対象に、確変状態における遊技データを正確に把握することを課題とするものであり、計数及び出力表示する遊技データとして、入玉数，出玉数，スタート数，Ｇ値およびＳ／１０が例示され、確変状態に係る特賞の回数について特に示されていないとしても、確変状態に係る特賞の回数が遊技者及び遊技店にとって当該遊技機の遊技データとして重要視されていることは周知（例えば、原審の拒絶理由通知において示された、特開２００２−２２４３８７号公報、特開２００２−１７７６１１号公報、参照。以下、「周知技術Ａ」という。）であるから、確変状態において計数及び出力表示する遊技データとして前記特賞の回数を採用することは、当業者が必要に応じて適宜になし得る事項である。
　そして、引用発明を認定した引用例に「確変信号がオンしてから例えば３回の大当たり（確変信号オンの原因となった最初の大当たりを含む）が発生すると、３回目の大当たり信号の立下がりに同期して、確変信号も立ち下がる。」（段落【０００４】）、「台データ領域は、・・・各パチンコ遊技台毎のパルス領域と加工データ領域を有している。パルス領域は、特賞回数を記録する領域・・・を有している。パルス領域の内容は、台データを受け取る度に更新される。」（段落【００３２】）と記載されていることからしても、当業者は、契機となった特賞も含めて確変状態において発生した特賞の回数を計数するものと当然理解あるいは想定すると認められる。
　ii．また、引用発明は、特賞終了後の判定期間中または判定期間の終了とともに特賞が発生したときに確変状態において前記次の特賞が発生したものとして特賞の回数を計数することにおいて、本願補正発明と同様であるものの、確変状態へと移行する契機となった最初の特賞については、これをどの時点で計数するのか明示していないが、最初に発生した特賞が確変状態において発生した特賞として計数すべきものと判明するのは、前記最初の特賞が発生した後の判定期間中または前記判定期間の終了とともに前記次の特賞が発生した時点であることからすると、次の特賞が発生した時点において契機となった前記最初の特賞も含めて特賞の回数を計数するように構成することは、当業者が当然考慮すべき設計的事項というべきである。
　iii．そうすると、パチンコ遊技機の技術分野における当業者にとって、引用発明において、確変状態における遊技データとして特賞の回数を採用するとともに、最初の特賞が発生した後の判定期間中または前記判定期間の終了とともに次の特賞が発生したときに、契機となった特賞も含めて特賞の回数を計数するようにして、前記相違点Ａにかかる本願補正発明のように構成することは、引用発明及び前記周知技術Ａに基づいて、容易に想到できるものである。
　　　　
　（３）相違点Ｂの検討
　遊技データとしての特賞の回数を遊技機別に設けた遊技機情報表示装置により遊技者向けに出力表示することは、周知（例えば、原審の拒絶理由通知において示された、特開２００２−２２４３８７号公報、特開２００２−１７７６１１号公報、特開２０００−２１８０１４号公報、参照。以下、「周知技術Ｂ」という。）であるから、特賞の回数を出力表示する遊技機情報表示装置として、引用発明に示される遊技店向けに設けることに代えて、遊技者向けに台別に設けるようにして、相違点Ｂにかかる本願補正発明のように構成することは、引用発明及び前記周知技術Ｂに基づいて、当業者が容易に想到できるものである。
　　　
　（４）作用効果の検討
　本願補正発明における作用効果は、引用発明に前記周知技術を適用したものおいて、当業者が容易に予測できるものである。
　　　
　（５）まとめ
　よって、本願補正発明は、引用例に記載された発明（引用発明）及び周知技術に基づいて当業者が容易に発明をすることができたものであるから、特許法第２９条第２項の規定により、特許出願の際独立して特許を受けることができない。
　　　
４．むすび
　以上のとおり、本願の審判請求とともになされた補正は、特許法第１７条の２第５項において準用する同法第１２６条第４項の規定に違反するものであるから、同法第１５９条第１項において準用する同法第５３条第１項の規定により却下すべきものである。
　　　 　  　　 
 第３．平成１５年７月２８日付の手続補正による本願発明について
１．本願発明
　平成１６年１１月１２日付の手続補正は上記のとおり却下されたので、本願の請求項１に係る発明（以下、「本願発明」という。）は、平成１５年７月２８日付の手続補正書の特許請求の範囲の請求項１に記載された以下のとおりのものである。
　「通常状態よりも遊技者にとって有利な第１特別遊技状態と、前記通常状態よりも遊技者にとって有利かつ前記第１特別遊技状態とは異なる第２特別遊技状態との２つの特別遊技状態を発生可能であり、前記２つの特別遊技状態のいずれの状態においても、同一の特別遊技状態端子より特別遊技状態信号を出力する遊技機の遊技データを表示する遊技機情報表示装置であって、
　前記特別遊技状態信号が出力されている期間が遊技状態の判定期間として設定され、
　予め設定した条件が前記判定期間中に成立するか否かに応じて、前記判定期間中の遊技状態が前記第１特別遊技状態であるか前記第２特別遊技状態であるかを判定する遊技状態判定手段を備え、
　前記遊技状態判定手段による判定結果に基づいて、前記第１特別遊技状態中の遊技データと、前記第２特別遊技状態中の遊技データとを区別して表示することを特徴とする遊技機情報表示装置。」
　　　
２．引用刊行物に記載の発明
　原査定の拒絶の理由に引用された刊行物である特開平１１−９８０８号公報（引用例）の記載事項、及び認定される発明は、前記第２．２．に記載したとおりである。
　　　　　　
３．当審の判断
　本願発明は、前記第２．１．で認定した本願補正発明から「第１特別遊技状態」の限定事項である「確変状態」との構成を省き、「第２特別遊技状態」の限定事項である「時短状態」との構成を省き、「遊技データ」の限定事項である「特賞の回数」との構成を省き、「遊技機情報表示装置」の限定事項である「遊技者向けの台別遊技機情報表示装置」との構成を省き、「判定期間」の限定事項である「特賞終了時を起点にして、・・・判定期間」との構成を省き、「遊技状態判定手段」の限定事項である「判定期間中または前記判定期間の終了とともに、前記遊技機に特賞が発生した場合に、その判定期間中の遊技状態を前記確変状態と判定し、上記以外の場合に、前記判定期間中の遊技状態を前記時短状態と判定する遊技状態判定手段」との構成を省き、「遊技状態判定手段の判定結果に基づき、・・・遊技データを表示する」の限定事項である「遊技状態判定手段の判定結果に基づき、遊技状態が前記通常状態から特賞を契機に前記確変状態へと移行し、再度、前記通常状態に戻るまでの期間に発生した特賞の回数を、前記契機となった特賞の終了時には計数せず、該特賞終了後の判定期間中または判定期間の終了とともに特賞が発生したときに、前記契機となった特賞も含めて計数して表示する」との構成を省いたものである。
　そうすると、本願発明の構成要件を全て含み、さらに他の構成要件を付加したものに相当する本願補正発明が前記第２．３．に記載したとおり、引用例に記載された発明及び周知技術に基づいて当業者が容易に発明をすることができたものであるから、本願発明も、同様の理由により引用例に記載された発明及び周知技術に基づいて当業者が容易に発明をすることができたものである。
　　　
４．むすび
　以上のとおり、本願の請求項１に係る発明は、引用例に記載された発明及び周知技術に基づいて当業者が容易に発明をすることができたものであるから、特許法第２９条第２項の規定により特許を受けることができない。
　よって、結論のとおり審決する。